(57)【要約】【目的】  梱包済のソフトウェア搭載装置に対して開梱することなしにバージョンアップされたソフトウェアを受け取らせることができるようにすることを目的とする。【構成】  ディジタル放送受信装置１の通信記憶部６は、携帯端末（更新用のソフトウェアを送信するための装置）との間でダンボールなどの梱包材を貫通して近距離通信を行う。携帯端末からのアクセス要求を無線受信した通信記憶部６は自身のＩＤ等を送信する。ＩＤ等を受信した携帯端末は、その液晶表示部にＩＤ等を表示する。作業者は、一つのＩＤを液晶画面上で選択してソフトウェア送信を開始する。この操作により、携帯端末１１は、一つのディジタル放送受信装置１に対して、ソフトウェアを無線送信し、これを受けた一つのディジタル放送受信装置１の通信記憶部６はその記憶部６ｄにソフトウェアを格納する。【選択図】          図１
2005321997.tif 000002
【特許請求の範囲】
【請求項１】
ソフトウェアを書換可能に保持する記憶部を備えたソフトウェア搭載装置において、内蔵電源と、前記内蔵電源によって駆動され、当該装置が電源ＯＦＦ状態でも外部端末との間で通信を行い、前記外部端末から送信されてくるソフトウェアを受信して記憶する通信記憶部と、を備えたことを特徴とするソフトウェア搭載装置。
【請求項２】
請求項１に記載のソフトウェア搭載装置において、ソフトウェアの受信書込が正常に終了したかどうかを外部端末に送信するように構成されたことを特徴とするソフトウェア搭載装置。
【請求項３】
請求項１又は請求項２に記載のソフトウェア搭載装置において、装置特定のための固有の識別情報を持つことを特徴とするソフトウェア搭載装置。
【請求項４】
請求項１乃至請求項３のいずれかに記載のソフトウェア搭載装置において、タイマーを備え、前記通信記憶部は所定時間帯のみ前記内蔵電源からの電力供給で通信可能状態となるように構成されていることを特徴とするディジタル放送受信装置。
【請求項５】
請求項１乃至請求項４のいずれかに記載のソフトウェア搭載装置において、当該装置の電源ＯＮ状態時に、前記通信記憶部からソフトウェアを読み出して前記記憶部に格納されているソフトウェアを書き換えるように構成されたことを特徴とするソフトウェア搭載装置。
【請求項６】
書換用のプログラムを保持している外部端末と梱包されている状態のソフトウェア搭載装置との間で無線通信を行い、前記外部端末が保持しているソフトウェアをソフトウェア搭載装置に無線送信することを特徴とするソフトウェア供給方法。
【請求項７】
請求項６に記載のソフトウェア供給方法において、梱包されている状態のソフトウェア搭載装置に対して予め決められた時間帯のみ無線通信を行うことを特徴とするソフトウェア供給方法。
【発明の詳細な説明】
【技術分野】
【０００１】
この発明は、ディジタル放送受信装置などソフトウェア搭載装置及びソフトウェア供給方法に関する。
【背景技術】
【０００２】
ディジタル放送受信装置のソフトウェアを書き換える場合には、本体の電源ケーブルをコンセントに接続してディジタル放送受信装置を電源ＯＮ状態とする必要がある。そして、ソフトウェア書き換えのために、外部端末と有線で接続してソフトウェアを伝送するか、あるいは更新するソフトウェアが入ったメモリカードを本体に挿入していた（特許文献１，特許文献２参照）。
【特許文献１】特開２００１−１０１００５号公報
【特許文献２】特開２００４−８８５１１号公報
【発明の開示】
【発明が解決しようとする課題】
【０００３】
ところで、製品を梱包して倉庫に保管しているわずかな期間にソフトウェアのバージョンアップが必要になる場合がある。従来の方法では、梱包済みの製品を開梱し、本体の電源ケーブルをコンセントに接続してディジタル放送受信装置の電源をＯＮし、ソフトウェアを書き換える手間が必要であった。
【０００４】
この発明は、上記の事情に鑑み、梱包済のソフトウェア搭載装置に対してバージョンアップされたソフトウェアを受け取らせることができるようにすることを目的とする。
【課題を解決するための手段】
【０００５】
この発明のソフトウェア搭載装置は、上記の課題を解決するために、ソフトウェアを書換可能に保持する記憶部を備えたソフトウェア搭載装置において、内蔵電源と、前記内蔵電源によって駆動され、当該装置が電源ＯＦＦ状態でも外部端末との間で通信を行い、前記外部端末から送信されてくるソフトウェアを受信して記憶する通信記憶部と、を備えたことを特徴とする。
【０００６】
上記の構成であれば、梱包済のソフトウェア搭載装置に対して開梱することなしにバージョンアップされたソフトウェアを受け取らせることができる。
【０００７】
上記ソフトウェア搭載装置において、ソフトウェアの受信書込が正常に終了したかどうかを外部端末に送信するように構成されているのがよい。また、装置特定のための固有の識別情報を持つのがよい。
【０００８】
また、これら構成のソフトウェア搭載装置において、タイマーを備え、前記通信記憶部は所定時間帯のみ前記内蔵電源からの電力供給で通信可能状態となるように構成されていてもよい。これによれば、通信記憶部による電力消費を抑え、倉庫保管状態が長引く場合でも通信可能状態を維持することができる。
【０００９】
また、これら構成のソフトウェア搭載装置において、当該装置の電源ＯＮ状態時に、前記通信記憶部からソフトウェアを読み出して前記記憶部に格納されているソフトウェアを書き換えるように構成されているのがよい。
【００１０】
また、この発明のソフトウェア供給方法は、送信すべきプログラムを保持している外部端末と梱包されている状態のソフトウェア搭載装置との間で無線通信を行い、前記外部端末が保持しているソフトウェアをソフトウェア搭載装置に無線送信することを特徴とする。かかる方法において、梱包されている状態のソフトウェア搭載装置に対して予め決められた時間帯のみ無線通信を行うこととしてもよい。
【発明の効果】
【００１１】
この発明によれば、梱包済のソフトウェア搭載装置に対して開梱することなしにバージョンアップされたソフトウェアを受け取らせることができる。また、タイマー機能を備える構成であれば、通信記憶部による電力消費を抑え、倉庫保管状態が長引く場合でも通信可能状態を維持することができる。
【発明を実施するための最良の形態】
【００１２】
以下、この発明の実施形態として、ソフトウェア搭載装置であるディジタル放送受信装置を図１乃至図４に基づいて説明する。
【００１３】
ディジタル放送受信装置１におけるチューナ２は、映像・音声データを含む高周波ディジタル変調信号のうちから特定周波数の信号を取り出す。また、チューナ２は、復調回路、逆インタリーブ回路、誤り訂正回路などを備え、選択したディジタル変調信号を復調してトランスポート・ストリームを出力する。
【００１４】
中央処理部３はディジタル放送受信装置１における各種の処理を行う。この中央処理部３はＣＰＵを備えると共に、デマルチプレクサ（ＤＥＭＵＸ）、ＡＶデコーダ、ＯＳＤ（オンスクリーンディスプレイ）等として機能する。前記デマルチプレクサは、トランスポート・ストリームを、例えばＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離し、ビデオストリームとオーディオストリームを前記ＡＶデコーダに供給し、ＰＳＩ／ＳＩに含まれる番組情報（番組名、番組開始時間、番組内容情報等）などを前記ＣＰＵに供給する。ＡＶデコーダは、ビデオストリームに対してデコードを行うビデオデコーダ、及びオーディオストリームに対してデコードを行うオーディオデコーダを備える。デコードにより生成された映像データは図示しない映像処理回路に出力され、音声データは図示しない音声処理回路に出力される。また、前記ＯＳＤは、ＣＰＵから出力指示された文字情報や色情報に基づく映像データをＡＶデコーダから出力される受信映像データに組み込む処理を行う。
【００１５】
記憶部（例えば、ＲＡＭ、ＥＥＰＲＯＭ、フラッシュメモリ等）４には、当該装置において必要な各種のソフトウェアが格納される。前記中央処理部３は記憶部４に対するソフトウェアの書込／読出処理も行う。
【００１６】
上述したチューナ２、中央処理部３、及び記憶部４等はＡＣ電源部５から電力を得て動作する。
【００１７】
次に、通信記憶部６について説明する。通信記憶部６は、無線通信部６ａと制御部６ｂと信号切替部６ｃと記憶部（フラッシュメモリ等）６ｄと内蔵電源部６ｅとから成る。
【００１８】
無線通信部６ａとしては、例えば、無線ＬＡＮ、Ｂｌｕｅｔｏｏｔｈなどの各種無線通信技術を利用するものを採用できる。この無線通信部６ａは、後述する携帯端末１１との間でダンボールなどの梱包材を貫通して近距離通信可能なパワーがあれば十分である。制御部６ｂは省電力駆動設計の演算部と制御ソフトウェアを格納する記憶部とを備えて構成され、無線通信部６ａの制御や、記憶部６ｄへのソフトウェア書込制御などを行う。内蔵電源６ｅとしては、乾電池、ボタン型電池などの各種電池類、大容量キャパシタなどの電荷蓄積素子などを用いることができる。信号切替部６ｃは、ディジタル放送受信装置１の中央処理部３から記憶部６ｄへのアクセスと、制御部６ｂから記憶部６ｄへのアクセスを切り換える機能を有するものであり、トライ・ステート・バッファなどで実現できる。ディジタル放送受信装置１のＡＣ電源部５による電力供給状態では、信号切替部６ｃは中央処理部３からの信号を選択する状態となり、ＡＣ電源部５による電力供給がない状態では、信号切替部６ｃは制御部６ｂからの信号を選択する状態となる。
【００１９】
なお、ディジタル放送受信装置１は、固有の識別番号（ＩＤ）や搭載ソフトウェアのバージョン情報などを保有する。また、この実施形態では、携帯端末１１から要求されたときに、前記識別番号やバージョン情報を携帯端末１１に送信することとしている。この送信のためには、前記識別番号やバージョン情報を通信記憶部６において保持しておく必要があるが、予め通信記憶部６に入力しておくこととしてもよいし、或いは、組立検査段階において、通信記憶部６の装着を検出した中央処理部３が前記識別番号やバージョン情報を通信記憶部６に与えるように構成しておいてもよい。また、識別番号等の送信タイミングは、例えば、乱数発生にて各装置間で相違が生じるようにしておいてもよい。
【００２０】
携帯端末１１は、無線通信部１１ａ、制御部１１ｂ、ソフトウェア読み取り部１１ｃからなり、ディジタル放送受信装置１の通信記憶部６との間で通信を行うように構成されている。前記ソフトウェア読み取り部１１ｃは、ディジタル放送受信装置１に送信されるべきソフトウェアをさまざまな記憶媒体を介して読み込んで記憶することができる。ディジタル放送受信装置１との間の通信に必要な通信コマンドは各種用意される。携帯端末１１は液晶表示部（図３参照）を備えており、この液晶表示部上にディジタル放送受信装置１の通信記憶部６から取得した各種情報を表示するように構成されている。
【００２１】
図３は、携帯端末１１を用い、梱包状態のディジタル放送受信装置１にソフトウェアを供給する方法を示している。携帯端末１１からのアクセス要求を無線受信したディジタル放送受信装置１の通信記憶部６は、自身の識別番号（ＩＤ）やソフトウェアのバージョン情報等を送信する。識別番号（ＩＤ）及びバージョン情報を受信した携帯端末１１は、当該バージョン情報と送信しようとしているソフトウェアのバージョン情報とを比較して当該識別番号（ＩＤ）を持つ放送受信装置にとってソフトウェア送信が必要かどうかを判断し、必要と判断した装置の識別番号（ＩＤ）等をその液晶表示部に表示する。作業者は、一つの識別番号（ＩＤ）を液晶画面上で選択してソフトウェア送信を開始する。この操作により、携帯端末１１は、一つのディジタル放送受信装置１に対して、ソフトウェアを無線送信し、これを受けた一つのディジタル放送受信装置１の通信記憶部６はその記憶部６ｄにソフトウェアを格納する。また、通信記憶部６は、ソフトウェアを正常に受信できたときには、そのことを携帯端末１１に送信する。携帯端末１１は正常受信の通知を受信したときには、そのことを液晶表示部に表示する。これにより、作業者は或る識別番号を持つディジタル放送受信装置１についてソフトウェア転送が完了したことを知ることができる。作業者は、必要に応じて次のディジタル放送受信装置１の識別番号を選択して送信処理を繰り返せばよい。
【００２２】
ディジタル放送受信装置１にソフトウェアを送信することにおいて、一つずつディジタル放送受信装置を特定して送信することに限定するものではない。例えば、携帯端末１１はソフトウェア及びそのバージョン情報を繰り返し送信する。通信記憶部６はそのバージョンのソフトウェアが自身にとって必要なもの（例えば、バージョン番号が自身ソフトウェアのバージョン番号より上の数値である場合）であれば受信を行う。そして、通信記憶部６は正常に受信できなかったソフトウェアの部分については、次に送信されてくるのを待てばよい。ディジタル放送受信装置１の通信記憶部６は、全てを受信できたときには、そのこと及び自身の識別番号を携帯端末１１に通知することとしてもよい。
【００２３】
このように、梱包済のディジタル放送受信装置１に対して開梱することなしにバージョンアップされたソフトウェアを受け取らせることができる。ディジタル放送受信装置１が購入開梱されて電源コードがコンセントに差し込まれたとき、前記中央処理部３は通信記憶部６にアクセスし、その記憶部６ｄにソフトウェアが在ればこれを読み出し、記憶部４のソフトウェアを書き換える。
【００２４】
ところで、通信記憶部６は常時動作しているため、ディジタル放送受信装置１が長期間倉庫で保管されるような場合には、内蔵電源部６ｅの蓄積電力が無くなってしまうことが考えられる。図４に示している通信記憶部６においては、制御部６ｂ′のみ内蔵電源部６ｅから常に電力供給を受けることとしている。制御部６ｂ′は、時計制御部（タイマー）を有しており、例えば、２４時間のうちのＡＭ１０：００〜ＡＭ１１：００の間と、ＰＭ２：００〜ＡＭ３：００の間のみ、内蔵電源部６ｅから無線通信部６ａ等へ電力を供給させる制御を行う。
【００２５】
図５は時計制御が適用される場合の処理内容を示したフローチャートである。ディジタル放送受信装置１の検査段階では本体のＡＣ電源はＯＮ状態であり、検査が終了して梱包されるときには、ＡＣ電源ＯＦＦとされる（ステップＳ１）。このＡＣ電源ＯＦＦに連動して自動的に内蔵電源部６ｅがＯＮし、このＯＮによって制御部６ｂ′のみＯＮする（ステップＳ２）。ＯＮした制御部６ｂ′は時間経過を監視し、起動時刻が到来したかどうかを判断する（ステップＳ３）。起動時刻となったときには、無線通信部６ａをＯＮさせる（ステップＳ４）。この無線通信部６ａがＯＮの状態で携帯端末１１からのアクセスを検出したら、ソフトウェア書換の要否を判断する（ステップＳ５）。書換要と判断したら、信号切替部６ｃ及び記憶部６ｄをＯＮし（ステップＳ６）、携帯端末１１から送信されてきたソフトウェアを取得して記憶部６ｄに書き込む（ステップＳ７）。一方、書換不要であれば、終了時刻かどうかを判断し（ステップＳ８）、終了時刻であれば無線通信部６ａへの通電を停止し（ステップＳ９）、ステップＳ３に戻る。
【００２６】
上記のタイマー制御が行われるディジタル放送受信装置に対しては、作業者は前述したＡＭ１０：００〜ＡＭ１１：００の間と、ＰＭ２：００〜ＡＭ３：００の間において、携帯端末１１を起動することになる。これによれば、通信記憶部６による電力消費を抑え、倉庫保管状態が長引く場合でも通信可能状態を維持することができる。なお、製造ロットごとに時間を決めておけば、ロットごとにソフトウェアを受信させることができる。
【図面の簡単な説明】
【００２７】
【図１】この発明の実施形態のディジタル放送受信装置（ソフトウェア搭載装置）を示したブロック図である。
【図２】携帯端末を示したブロック図である。
【図３】ソフトウェア供給方法を示した説明図である。
【図４】通信記憶部（タイマー機能付き）の他の例を示したブロック図である。
【図５】タイマー機能による処理例を示したフローチャート図である。
【符号の説明】
【００２８】
１    ディジタル放送受信装置
２    チューナ
３    中央処理部
４    主記憶部
５    ＡＣ電源部
６    通信記憶部
【図１】
2005321997.tif 000003
【図２】
2005321997.tif 000004
【図３】
2005321997.tif 000005
【図４】
2005321997.tif 000006
【図５】
2005321997.tif 000007